(57)【要約】【課題】  演出効果が高く、表示情報としても豊富な情報内容の表示が可能であり、島のデザインや構成も容易に行える遊技機用の表示装置を提供する。【解決手段】  複数の透過型液晶表示板31により形成される複数の表示領域36を透明なベース板21上に有し、バックライト光源を有しない表示装置20であって、前記表示領域36には対応する遊技機の情報を表示可能とし、前記ベース板21の裏面には当該表示装置20を固定するためのアームを備える遊技機用表示装置20とする。【選択図】    図２
2015139630.tif 000002
【特許請求の範囲】
【請求項１】
複数の透過型液晶表示板により形成される複数の表示領域を透明なベース板上に有し、バックライト光源を有しない表示装置であって、前記表示領域には対応する遊技機の情報を表示可能とし、前記ベース板の裏面には当該表示装置を固定するためのアームを備えることを特徴とする遊技機用表示装置。
【請求項２】
前記ベース板は、前記対応する遊技機の横幅以下の横幅とされていることを特徴とする請求項１に記載の遊技機用表示装置。
【請求項３】
前記液晶表示板は、多角形形状とされて円形の前記表示領域を有し、当該液晶表示板の外形である多角形に対する外接円又はこの外接円よりも僅かに大きな外径を有する環状形状とされた不透明なカバーリングを有し、前記ベース板は、前記液晶表示板の形状及び大きさに合わせた表示板受部及びカバーリングの形状及び大きさに合わせたリング受部を有することを特徴とする請求項１又は請求項２に記載の遊技機用表示装置。
【請求項４】
前記液晶表示板の多角形形状としては、正八角形であることを特徴とする請求項３に記載の遊技機用表示装置。
【請求項５】
前記複数の液晶表示板は横一列として前記ベース板に配置され、前記アームは、前記液晶表示板の裏面下方位置に配置される下アームと前記液晶表示板の裏面上方位置に配置される上アームとされ、上アームが下アームよりも長く形成されていることを特徴とする請求項１乃至請求項４の何れかに記載の遊技機用表示装置。
【請求項６】
前記ベース板は、前記アームにより、前記対応する遊技機の上部で前記幕板に固定されることを特徴とする請求項１乃至請求項５の何れかに記載の遊技機用表示装置。
【発明の詳細な説明】
【技術分野】
【０００１】
本発明は、遊技機に関する情報を表示する液晶式の表示装置に関するものです。
【背景技術】
【０００２】
今日、遊技場に設置された遊技機、例えばパチンコ機やスロットマシンの状態を表示する表示装置として、図５に示すようにパチンコ機などの遊技機10の盤面11の上部に取り付けられる装飾性を有した上部表示装置15が多く用いられている。
【０００３】
この上部表示装置15は、遊技場の係員を呼び出す際に点灯を行って呼び出し表示を行う他、当該遊技機10の状態、例えばゲーム中の大当たりやボーナスゲームのスタート、当選確率などを表示し、更には、当日又は前日の出玉率やあたり回数などの表示も可能とされるものです。
【０００４】
また、パチンコ機においては、上部表示装置15を備えると共に、又は、上部表示装置15を備えることなく、盤面11の中央付近に数インチ程度の小型の液晶表示器16を配置して表示装置とするものもあります。
【０００５】
そして、遊技場では、このような遊技機10の１０台乃至２０台程度を隣接させて並べ、通路の両側に各々並べて配置すると共に、一列に並べた片側の列を構成する複数の遊技機10の裏側に別の遊技機10を並べた一列を配置するように遊技機10の裏面を対向させて島を構成することが多く行われています。
【０００６】
また、このように島を構成する遊技機10では、個々に上部表示装置15を備えた遊技機10を並べる場合に限ることなく、上部に大型の表示装置を有しない遊技機10の本体を並べて島を構成し、遊技機10の上部に設ける幕板に、島を構成する各遊技機10に対応させて三原色のＬＥＤを複数個配置するようにした表示装置を設け、各ＬＥＤの点灯、点滅の状態により各遊技機10の状態を表するものも提案されている（例えば特許文献１）。
【先行技術文献】
【特許文献】
【０００７】
【特許文献１】特開２００７―０６１５６７号
【発明の概要】
【発明が解決しようとする課題】
【０００８】
前述の数インチ程度の液晶表示器は、種々の演出表示が可能であるも、画面が小さく、見辛い場合があり、幕板に三原色のＬＥＤを配置する表示装置は、演出効果を高くすることはできるも、表示できる情報には限界があった。
【０００９】
そして、盤面の上部に筐体幅に略等しい横幅を有する上部表示装置等の表示装置を設けた遊技機は、筐体が大きくなり、島の形成を制約することがあった。
【００１０】
本発明は、上述の様な欠点を排除し、演出効果が高く、表示情報としても豊富な情報内容の表示が可能であり、島のデザインや構成も容易に行える遊技機用の表示装置を提供するものです。
【課題を解決するための手段】
【００１１】
本発明に係る遊技機用表示装置は、複数の透過型液晶表示板により形成される複数の表示領域を透明なベース板上に有し、バックライト光源を有しない表示装置であって、前記表示領域には対応する遊技機の情報を表示可能とし、前記ベース板の裏面には当該表示装置を固定するためのアームを備える遊技機用表示装置とするものです。
【００１２】
そして、前記ベース板は、前記対応する遊技機の横幅以下の横幅とさる遊技機用表示装置とすることが好ましいものです。
【００１３】
また、前記液晶表示板は、多角形形状とされて円形の前記表示領域を有し、当該液晶表示板の外形である多角形に対する外接円又はこの外接円よりも僅かに大きな外径を有する環状形状とされた不透明なカバーリングを有し、前記ベース板は、前記液晶表示板の形状及び大きさに合わせた表示板受部及びカバーリングの形状及び大きさに合わせたリング受部を有することが好ましいものです。
【００１４】
そして、前記液晶表示板の多角形形状としては、正八角形であることが好ましいものです。
【００１５】
更に、前記複数の液晶表示板は横一列として前記ベース板に配置され、前記アームは、前記液晶表示板の裏面下方位置に配置される下アームと前記液晶表示板の裏面上方位置に配置される上アームとされ、上アームが下アームよりも長く形成されている遊技機用表示装置とすることが好ましいものです。
【００１６】
そして、前記ベース板は、前記アームにより、前記対応する遊技機の上部で前記幕板に固定されるものです。
【発明の効果】
【００１７】
本発明に係る遊技機用表示装置は、複数の液晶表示板により形成される表示領域を透明なベース板上に有するため、複数の液晶表示板以外の部分は当該表示装置の背景が見え、背景での演出を見せることもできるものです。
【００１８】
また、バックライト光源を有していなくても、背景の明るさにより表示領域に光透過部分を生じさせて対応する遊技機に関する情報内容の表示を可能とする表示装置です。
【００１９】
そして、ベース板を対応する遊技機の横幅以下の横幅とすることにより、遊技機を隣接させて並べるように配置された島の幕板等に固定するに際し、当該遊技機用の表示装置も並べて対応する各遊技機の上部等に配置することができるものです。
【００２０】
また、液晶表示板を多角形形状とすることにより、透明なベース板に液晶表示板を取り付けるに際し、取付け角度の調整を要することなく容易に取付けることができるものです。
【００２１】
更に、液晶表示板の前面には、外接円又は外接円よりも僅かに大きな外径のカバーリングを設けることで、円形の不透明部分が透明なベース板に形成され、これによって表示装置の表示領域が見易くなると共に、表示装置の後方の幕板等の背景を遮る範囲も各々円形となり、表示領域と表示領域との間隙の背景演出を妨げることが低減されるものです。
【００２２】
そして、液晶表示板を正八角形とすることにより、円形の表示領域を大きくしつつ、表示装置の後方の背景を遮る範囲を小さくすることができ、液晶表示板自体の外形を整えやすくすることができるものです。
【００２３】
更に、表示装置を固定するためのアームを、液晶表示板の裏面下方位置に配置される下アームと液晶表示板の裏面上方位置に配置される上アームとし、上下のアームを表示板の裏側に位置させて目立たせることが無く、また、上アームを下アームよりも長く形成することにより、表示装置の前面を斜め下方に傾斜させ、遊技機を操作する遊技者に表示内容を見易くすることができるものです。
【００２４】
そして、ベース板を対応する遊技機の上部で幕板に固定することにより、情報を表示している対応遊技機と当該表示装置との対応を瞬時に理解することを可能にできるものです。
【図面の簡単な説明】
【００２５】
【図１】本発明の実施形態に係る表示装置を備えた遊技機を示す図。
【図２】本発明の実施形態に係る表示装置の正面図。
【図３】本発明の実施形態に係る表示装置の表示領域を示す図。
【図４】本発明の実施形態に係る表示装置の分解図。
【図５】従来の遊技機10の一例を示す図。
【発明を実施するための形態】
【００２６】
本発明に係る遊技機用の表示装置の一実施の形態は、図１に示すように、各遊技機10の上方において、島60を形成する遊技機10の上部に設けられる幕板61に取り付けられる３枚の液晶表示板31を備えた表示装置20です。
【００２７】
この表示装置20は、図２に示すように、３枚の液晶表示板31を矩形のベース板21に取り付けているものであって、透明なベース板21に円形の表示領域36を３個並べるようにして備えるものです。
【００２８】
この３個の表示領域36は、この表示装置20の下方に位置する遊技機10の状態を表示する第１表示領域37、第２表示領域38、第３表示領域39とされるものであって、３個の表示領域36の他、呼び出し表示部44を更に備える表示装置20としています。
【００２９】
この第１表示領域37は、図３の（ａ）に示すように、セグメント式表示部41を備え、遊技機10の現在の状態である「大当たり」や「確率変動」の開始や変動状態等を表示可能とするものです。
【００３０】
また、第２表示領域38は、図３の（ｂ）に示すように、セグメント式表示部41を備え、遊技機10の状態である現在のイベントの表示や過去のイベント発生状況を表示可能とするものです。
【００３１】
そして、第３表示領域39は、図３の（ｃ）に示すように、セグメント式表示部41やマトリックス式表示部43を備え、文字や数字以外にグラフ、絵柄等の表示も可能として種々の遊技機10のデータ表示を可能とするものです。
【００３２】
尚、呼び出し表示部44は、ランプの点灯などにより、遊技場の係員に、緊急又は通常の呼び出しの連絡表示を行うものです。
【００３３】
この表示装置20は、図４に示すように、液晶表示板31の３枚を近接させるように横一列に並べて配置する矩形のベース板21と、円形の表示領域36を有する３枚の液晶表示板31と、各液晶表示板31の表示領域36の外縁を覆うカバーリング51とで構成するものです。
【００３４】
このベース板21は、厚板とされる透明な樹脂板のベース本体22により形成し、液晶表示板31の外形形状及び大きさに合わせた表示板受部24をベース本体22の前面から後退させるように窪ませて３カ所に形成しており、表示板受部24の中央に透孔部28を設けて軽量化を図っているものです。
【００３５】
そして、表示板受部24の一部には透孔部28からの切欠き凹部としたリード穴29を形成して液晶表示板31のフレキシブルなリード線45を表示装置20の裏面に引き出し可能としているものです。
【００３６】
更に、各液晶表示板31を取り付ける表示板受部24の外周には、多角形状とされた表示板受部24の外接円と同一直径又は僅かに直径を大きくした円形のリング受部26を形成しているものです。
【００３７】
このリング受部26は、後述するカバーリング51の外径と等しく、カバーリング51の厚みに略等しい深さとしてベース本体22の前面から僅かに後退するように窪ませているものです。
【００３８】
尚、表示板受部24の上方部分や下方部分の適宜個所には、取付けネジ59の胴部を貫通させると共に取付ネジの頭部を収納する凹部を備える貫通ネジ穴25を有し、当該表示装置20を幕板61に取り付けるための上アーム55や下アーム56を取付けネジ59によりベース本体22に取り付け可能としているものです。
【００３９】
また、ベース板21の横幅と遊技機10の横幅とを同一又はベース板21の横幅を遊技機10の横幅以下とし、図１に示したように遊技機10の上部に各表示装置20を一列に並べるように配置するものです。
【００４０】
そして、液晶表示板31は、表示板本体32を正八角形とし、円形の表示部枠34の内部である表示領域36を、各液晶表示板31毎に各々第１表示領域37、第２表示領域38、第３表示領域39とするものです。
【００４１】
この各液晶表示板31の表示領域36に形成されるセグメント式表示部41やマトリックス式表示部43は、前面側ガラス板及び裏面側ガラス板の間に偏光フィルタや電極、液晶等を配置して透過型液晶表示板を形成するものです。
【００４２】
そして、セグメント式表示部41では、７セグメントや９セグメント、１４セグメント等の適宜の数のセグメント部分を液晶及び電極で形成したものであって、遊技機10の固有の情報を表示するために、所定の文字やキャラクタ形状のセグメント部分も液晶及び電極で形成しているものです。
【００４３】
尚、各セグメント部分は、通電を行わないときは変更フィルタとの組み合わせにより光を遮断し、通電されたセグメントは光を透過させるものです。
【００４４】
また、マトリックス式表示部43は、前面側及び裏面側の透明電極によりマトリックス状のドットポイントを形成可能とし、通電により所要のドットポイントで光を透過させて文字や図形、絵柄、グラフ、等の表示を可能とするものです。
【００４５】
尚、液晶表示板31の外縁には、ネジ部33を突出させ、固定ネジ49の胴部を貫通させてベース本体22のリング受部26に設けた螺入ネジ穴27に固定ネジ49の先端及び先端側胴部を螺入して各液晶表示板31をベース本体22の各表示板受部24に固定できるようにしているものです。
【００４６】
そして、カバーリング51は、環状形状とされる黒色不透明な樹脂シートであって、内径を液晶表示板31の表示部枠34の径に一致させ、外径はベース本体22のリング受部26の直径、即ち正八角形とされた液晶表示板31の外接円の直径又はこの外接円直径よりも僅かに大きな径とされ、ベース本体22のリング受部26に挿入されて粘着剤又は接着剤等により表示板本体32の周縁及びベース本体22に固定されるものです。
【００４７】
この表示装置20は、図２に示したように、カバーリング51の外縁を近接させて横一列に液晶表示板31を配置するようにしてベース板21に有し、上アーム55及び下アーム56をベース板21の裏面に有し、この上アーム55及び下アーム56により島60の幕板61に取り付けられるものです。
【００４８】
そして、この上アーム55は表示板受部24の上方に設けた貫通ネジ穴25に挿入する取付けネジ59により液晶表示板31の裏面上部においてベース板21に取り付けられ、下アーム56は、表示板受部24の下方に設けた貫通ネジ穴25に挿入する取付けネジ59により液晶表示板31の裏面下部においてベース板21に取り付けられるものであって、上アーム55と下アーム56とを液晶表示板31の裏側に位置させて液晶表示板31により隠すようにしているものです。
【００４９】
また、この上アーム55は下アーム56よりも長く形成され、垂直に設けられる幕板61に対してベース板21を傾けるように前面を斜め下方に向けて幕板61に固定可能とし、各遊技機10の前に座る遊技者から表示内容を見易くしているものです。
【００５０】
尚、遊技機10の情報等の表示を行わないときは、黒色の円が３個並んでいるように見えるものです。
【００５１】
また、図１に示したように、幕板61には、照明器具63を島60の全体に亙って連続させて幕板61に設け、連続させた照明器具63により、店内の照明と共に演出を可能としており、この照明器具63を表示装置20のバックライトとしも利用するものであって、表示装置20自体にはバックライト光源を設けないものです。
【００５２】
このように、バックライト光源を有しない表示装置20であっても、表示装置20のリード線45に制御信号を加えることにより、セグメント式表示部41やマトリックス式表示部43に制御信号に基づいた適宜の透光部を形成すると、表示装置20の背景となる幕板61に設けた照明器具63により、黒色円形とされた液晶表示板31に所要の情報を表示する文字や数字、グラフ、絵柄等の読み取りを可能とすることができるものです。
【００５３】
また、液晶表示板31は表示領域36が円形とされ、正八角形の液晶表示板31の外接円と同一又は僅かに大きな外径のカバーリング51を取り付けて横一列に配置されているため、３枚の液晶表示板31は相互に上下方向の中央近辺となる円周の一部を最も近接させ、各液晶表示板31の中心を結ぶ直線から上下に離れると、液晶表示板31と液晶表示板31との間の間隔が広くなるものです。そして、ベース板21を透明としているため、矩形の液晶表示板と異なり、液晶表示板31と液晶表示板31との間の空間においても上下方向部分の幅が広く、後方の幕板61の広い部分を見えるようにして、背景とされる照明器具63による演出を見易くしているものです。
【００５４】
尚、リード線45は、下アーム56に沿って、又は上アーム55に沿って表示装置20から幕板61に導き、幕板61を貫通させて幕板61の裏側に引き回すこととし、遊技者から上アーム55や下アーム56と共にリード線45が見え難いようにしているものです。
【００５５】
そして、液晶表示板31は、表示領域36を円形としつつ表示板本体32の外形を正八角形としているため、表示領域36を比較的大きく表示板本体32に形成できると共に、表示板本体32の外形が多角形であるため、ベース本体22に取り付ける際に取付け角度等の位置決めを容易とし、表示装置20の組立て効率を高めているものです。
【００５６】
また、カバーリング51の外径を表示板本体32の外接円と同一又は僅かに大きな外径としているため、表示装置20の表示領域36およびその周縁を形成するカバーリング51により照明器具63を遮る範囲を小さくし、表示装置20のバックライトと店内装飾を兼ねる照明装置の演出を効果的に行うことを可能としているものです。
【００５７】
尚、正八角形に限ることなく、八角形よりも頂点の多い正多角形とすることにより、カバーリング51の外縁内とされる不透明領域の範囲内での表示領域36を大きくすることもできます。尤も、頂点が増加すると液晶表示板31の形成が困難となるため、八角形程度が最適です。
【００５８】
また、液晶表示板31の外形形状は正多角形に限ることなく、適宜の多角形とすることにより、ベース本体22に取り付ける際に取付け角度等の位置決めを容易とし、表示装置20の組立てを容易とすることができるものです。
【００５９】
更に、ベース板21を透明とし、不透明部分となる液晶表示板31の裏面位置の上方及び下方に上アーム55及び下アーム56を設けることにより、上アーム55及び下アーム56が見え辛くして目立たせることなく、上アーム55及び下アーム56により表示装置20と幕板61との間に間隙を設け、円形で不透明とされた液晶表示板31が空中に浮いているように見せることができるものです。
【００６０】
そして、この表示装置20は、板状のベース板21と液晶表示板31、更に表示領域36の周囲の外観を整えるカバーリング51を主要部として構成しているため、製造を容易とすることができるものです。
【００６１】
また、この表示装置20は、遊技機10とは独立した表示装置20としてセグメント式表示部41やマトリックス式表示部43を備えるため、種々の遊技機10との組み合わせを可能とすることができ、遊技機10の種々の情報を複数の表示領域36に分けて表示することにより、各表示内容を各表示領域36に大きく表示し、表示された情報を容易に且つ見易くすることができるものです。
【００６２】
更に、この表示装置20により遊技の状態が表示される表示装置20と対応させる遊技機10は、大型の上部表示装置を有しない遊技機10として筐体を小さくすることができ、また、表示装置20との組み合わせに変化を持たせることができるため、島の構成を容易に行うことができると共に、島全体での演出を行うことも容易に可能とすることができるものです。
【００６３】
尚、図面に示した実施の形態は、３枚の液晶表示板31を用いて３カ所に表示領域36を形成した表示装置20としているも、液晶表示板31の数は３枚に限るものでなく、２枚、又は４枚以上とし、複数の表示領域36を設けることもあるものです。
【産業上の利用可能性】
【００６４】
本実施の形態における表示装置20は、複数の液晶表示板31を透明なベース板21に有するものであるから、各液晶表示板31により遊技機10におけるゲームの状態などの情報を見易く表示し、液晶表示板31の部分でのみ幕板61を遮り、透明なベース板21部分では幕板61を見える状態として幕板61に施す装飾照明などを見せることができるものです。
【符号の説明】
【００６５】
１０  遊技機                        １１  盤面
１５  上部表示装置                  １６  液晶表示器
２０  表示装置
２１  ベース板                      ２２  ベース本体
２４  表示板受部                    ２５  貫通ネジ穴
２６  リング受部                    ２７  螺入ネジ穴
２８  透孔部                        ２９  リード穴
３１  液晶表示板
３２  表示板本体                    ３３  ネジ部
３４  表示部枠                      ３６  表示領域
３７  第１表示領域                  ３８  第２表示領域
３９  第３表示領域
４１  セグメント式表示部            ４３  マトリックス式表示部
４４  呼び出し表示部
４５  リード線                      ４９  固定ネジ
５１  カバーリング                  ５５  上アーム
５６  下アーム                      ５９  取付けネジ
６０  島
６１  幕板                          ６３  照明器具
【図１】
2015139630.tif 000003
【図２】
2015139630.tif 000004
【図３】
2015139630.tif 000005
【図４】
2015139630.tif 000006
【図５】
2015139630.tif 000007